(57)【要約】【課題】用紙の両面に画像を形成するときに、用紙を冷却できて、しかも用紙を安定して搬送できる簡素な構造の画像形成装置を実現する。【解決手段】本画像形成装置１では、画像転写位置Ｐ１から画像定着位置Ｐ２へ用紙を案内する中流側用紙搬送路２２が、略鉛直方向に沿って下から上へ用紙を案内する。戻し側用紙搬送路２４は、用紙の両面に画像が形成されるときに、画像転写位置Ｐ１へ戻される用紙を略鉛直方向に沿って上から下へ案内する。両用紙搬送路２２，２４の間に、送風ファン３１が設けられている。送風ファン３１は、中流側用紙搬送路２２を通る用紙を案内面２８ａに吸引し、安定した搬送を実現できる。しかも、送風ファン３１は、戻し側用紙搬送路２４内に送風してここを通る用紙を冷却する。【選択図】図２
2007206236.tif 000002
【特許請求の範囲】
【請求項１】
画像転写位置から画像定着位置へ用紙を案内する第１の用紙搬送路と、
第１の用紙搬送路と略平行に設けられ、片面に画像が転写および定着された用紙の残りの面に画像を転写および定着するために、当該用紙を画像転写位置へ戻すために用紙が通過する第２の用紙搬送路と、
第１および第２の用紙搬送路の間に設けられ、第１の用紙搬送路を通る用紙を吸引して、用紙を第１の用紙搬送路に沿わせるようにしつつ、第２の用紙搬送路内に送風して第２の用紙搬送路を通る用紙を冷却するための送風手段とを含むことを特徴とする画像形成装置。
【請求項２】
請求項１において、
上記第１の用紙搬送路は、下から上へ向かって略鉛直方向に用紙を搬送し、
上記第２の用紙搬送路は、上から下へ向かって略鉛直方向に用紙を搬送することを特徴とする画像形成装置。
【発明の詳細な説明】
【技術分野】
【０００１】
この発明は、画像形成装置に関する。
【背景技術】
【０００２】
従来の画像形成装置は、用紙の両面に画像を形成するために、用紙の片面に画像を形成するための第１の搬送路と、片面に画像を形成した用紙を第１の搬送路の上流側位置に戻すための第２の搬送路と、これらの搬送路を区画する区画部材を冷却するための送風ファンとを有している（例えば、特許文献１〜４参照。）。
また、従来の他の画像形成装置は、上述の第２の搬送路の途中に設けられた中間トレイと、この中間トレイに溜められた用紙を冷却する送風ファンとを有している（例えば、特許文献５参照。）。この中間トレイは、用紙の両面に画像を形成するときに、片面のみに画像を形成した用紙を一時的に溜めるために設けられている。また、特許文献５では、送風ファンによる空気流を利用して、用紙を搬送するためのベルトに、用紙を吸着させるようにしている。
【特許文献１】特開平７−２３９６４７号公報
【特許文献２】特開平１１−１３９６４４号公報
【特許文献３】特開２０００−２６４４９４号公報
【特許文献４】特開２０００−３０４３９５号公報
【特許文献５】特開平９−１４６３０９号公報
【発明の開示】
【発明が解決しようとする課題】
【０００３】
しかし、特許文献１〜４の先行技術では、用紙を安定して搬送することについて何ら考慮されていないので、用紙にしわが生じることがある。また、特許文献１〜４では、冷却専用の送風ファンが必要であるので、画像形成装置の構造が複雑化する傾向にある。
また、特許文献５の先行技術は、中間トレイに溜めた用紙しか冷却できないので、適用範囲が狭い。
【０００４】
そこで、本発明の目的は、広い範囲に適用でき、用紙を冷却できて、しかも用紙を安定して搬送できる簡素な構造の画像形成装置を提供することである。
【課題を解決するための手段】
【０００５】
本発明の画像形成装置は、画像転写位置から画像定着位置へ用紙を案内する第１の用紙搬送路と、第１の用紙搬送路と略平行に設けられ、片面に画像が転写および定着された用紙の残りの面に画像を転写および定着するために、当該用紙を画像転写位置へ戻すために用紙が通過する第２の用紙搬送路と、第１および第２の用紙搬送路の間に設けられ、第１の用紙搬送路を通る用紙を吸引して、用紙を第１の用紙搬送路に沿わせるようにしつつ、第２の用紙搬送路内に送風して第２の用紙搬送路を通る用紙を冷却するための送風手段とを含むことを特徴とする。この発明によれば、送風手段により、両面印刷するときに用紙を冷却することと、第１の用紙搬送路に用紙を安定して搬送することとの２つの機能を実現できるので、構造を簡素化できる。
【０００６】
また、上記第１の用紙搬送路は、下から上へ向かって略鉛直方向に用紙を搬送し、上記第２の用紙搬送路は、上から下へ向かって略鉛直方向に用紙を搬送する場合がある。上述のように第１の用紙搬送路に用紙を沿わせることができるので、用紙の搬送が不安定になる傾向にある上下方向であっても、用紙を安定して搬送することができる。
【発明を実施するための最良の形態】
【０００７】
以下では、この発明の実施の形態を、添付図面を参照して詳細に説明する。本実施形態では、画像形成装置が複写機である場合に則して説明するが、本発明はこれに限らず、例えば、プリンタ、ファクシミリであってもよい。
図１は、本発明の第１実施形態の画像形成装置の概略構成の模式図である。
画像形成装置１は、複数の原稿を順次繰り出すための原稿給紙装置２と、この原稿給紙装置２により繰り出された原稿の原稿画像を読み取るための入力部としての読取部３と、この読取部３により得られる原稿画像に応じた画像データに基づき転写材としての所定の用紙に画像を形成する画像形成部４と、この画像形成部４に用紙を供給する複数の用紙供給部５と、各用紙供給部５から画像形成部４を通って排出トレイ６へ用紙を搬送する用紙搬送部７と、画像形成装置１の動作を制御するための制御部８と、上述の各部２〜８を支持する装置本体としてのハウジング９とを有している。なお、用紙供給部５は少なくともひとつがあればよいが、本実施形態では、複数ある場合に則して説明する。
【０００８】
また、本実施形態の画像形成装置１は、用紙Ｓの両面Ｓ１，Ｓ２に画像を形成する両面画像形成機能を有している。また、後述するように、用紙の両面に画像を形成するときに画像が片面に形成された用紙を冷却するための送風ファン３１が設けられている。また、この送風ファン３１の空気流を利用して、用紙搬送部７により用紙を安定して搬送できるようにしている。
【０００９】
ハウジング９は、原稿給紙装置２以外の上述の各部３，４，５，６，７，８を収容している。ハウジング９の上部に読取部３が配置され、上下方向Ｚについてのハウジング９の中央部に画像形成部４が配置されている。また、上下方向Ｚについて画像形成部４および読取部３の間に、画像が形成された用紙を排出するための開放された排出トレイ６が設けられている。ハウジング９の下部に複数の用紙供給部５が上下方向Ｚに並んで配置されている。ハウジング９内の側部に用紙搬送部７が配置されていて、用紙は上下方向Ｚに沿ってに搬送されるようになっている。
【００１０】
画像形成部４は、読取部３から与えられる画像データに基づきこの画像データに応じた所定のビーム光を得るための光学部１０と、上述の所定のビーム光に応じた潜像を形成するための円柱形状をなす像担持体としての感光体ドラム１１と、高電圧を印加されることにより感光体ドラム１１を帯電させるメインチャージャ１２（帯電チャージャ）と、感光体ドラム１１に形成された静電潜像をトナーにより顕像化する現像装置１３と、感光体ドラム１１に形成されたトナー像を用紙に転写する転写部としての転写ローラ１４と、転写ローラ１４により転写されたトナー像を用紙に加熱定着させる定着部１５と、トナー像が転写された後の感光体ドラム１１の表面を清掃しトナーを回収するためのクリーナ１６と、感光体ドラム１１の表面を除電する除電器（図示せず）とを有している。
【００１１】
定着部１５は、搬送された用紙および用紙上に転写されたトナーＴを加熱する加熱ローラ１７と、この加熱ローラ１７と対向し接触する加圧部材としての加圧ローラ１８と、加熱ローラ１７の温度を上昇させるためのヒータ１９とを有している。加熱ローラ１７は、駆動源としての電動モータ（図示せず）により所定の回転方向に駆動される。加熱ローラ１７の回転に連動して、加圧ローラ１８が逆向きに回転する。未定着のトナーを転写された用紙を、加熱ローラ１７と加圧ローラ１８とのニップ部同士の間に通して、用紙上のトナーを加熱および加圧することにより用紙に溶着させる。
【００１２】
画像形成部４では、光学部１０が画像データに応じたビーム光を発生させる。これとともに、感光体ドラム１１を回転させつつ、感光体ドラム１１の外周面をメインチャージャ１２により均一に帯電し、次いで上述のビーム光によって感光体ドラム１１の外周の所定の露光領域を露光する。これにより、感光体ドラム１１の外周面に所望の画像を結像させて静電潜像を形成し、この静電潜像を現像装置１３によりトナー像に顕像化する。用紙は、いずれかの用紙供給部５から繰り出されて搬送され、用紙搬送部７の一対のレジストローラ２０により所定のタイミングで感光体ドラム１１と転写ローラ１４との間に搬送される。感光体ドラム１１に形成されたトナー像は、転写ローラ１４により用紙に転写される。用紙は定着部１５へ搬送される。定着部１５によりトナー像は用紙に定着される。そして画像が形成された用紙は排出トレイ６へ送り出される。
【００１３】
制御部８は、制御中枢としてのマイクロコンピュータと、これに接続されて使用者が操作するための操作スイッチ等の操作部とを含む。操作部からの入力に基づいて、マイクロコンピュータは予め記憶されたプログラムに基づいて、片面複写、両面複写等の各種の画像形成機能を実現するための各部の動作を制御する。例えば、制御部８は、用紙の表面および裏面への画像形成を自動的に順次行う制御手段として機能する。
【００１４】
図２は、図１の要部の拡大図である。図２を参照する。
用紙搬送部７は、各用紙供給部５から用紙をそれぞれ搬送し画像形成部４よりも搬送方向の上流側にある複数の上流側用紙搬送路２１と、画像形成部４およびその近傍で用紙を搬送する第１の用紙搬送路としての中流側用紙搬送路２２と、画像形成部４から用紙を搬送し画像形成部４よりも搬送方向の下流側にある下流側用紙搬送路２３と、中流側用紙搬送路２２の出口を通過した用紙を中流側用紙搬送路２２の入口へ戻すための第２の用紙搬送路としての戻し側用紙搬送路２４とを有している。
【００１５】
用紙搬送部７は、各用紙搬送路２１，２２，２３，２４に沿って用紙を搬送する搬送ローラ２５と、レジストローラ２０と、排出ローラ２６と、用紙搬送路２１，２２，２３，２４を区画する複数の搬送路区画部材２７（一部のみ図示。），２８，２９とを有している。
搬送ローラ２５は、対をなして、互いに対向して配置され、回転することにより、一対の搬送ローラ２５間に挟んだ用紙を、回転方向に応じた向きに搬送する。搬送ローラ２５は、複数対が設けられていて、その一部のみに符号を付している。
【００１６】
レジストローラ２０は、搬送ローラとして機能するとともに、各用紙供給部５から繰り出された用紙を所定のタイミングで画像形成部４の画像転写位置Ｐ１に送り出すために設けられていて、用紙の搬送姿勢を調整する機能をも有している。
また、排出ローラ２６は、搬送ローラとして機能し、画像形成後の用紙を排出トレイ６に排出する。また、排出ローラ２６は、両回転方向に回転でき、これにより、用紙の両面に画像を形成するときに、用紙をスイッチバックさせて、戻し側用紙搬送路２４に送り出すことができる。
【００１７】
また、感光体ドラム１１および転写ローラ１４は、互いに対向して配置され、搬送ローラとして機能し、回動することにより、ニップ部の間に挟んだ用紙を搬送する。定着部１５の加熱ローラ１７および加圧ローラ１８は、搬送ローラとして機能し、回動することにより、ニップ部の間に挟んだ用紙を搬送する。
また、搬送路区画部材２７，２８，２９は、用紙を沿わせることより用紙を案内する案内部材としてそれぞれ機能する。また、搬送路区画部材２８は、用紙搬送部７の複数の搬送路区画部材のうちで、中流側用紙搬送路２２において、感光体ドラム１１とは反対側に配置されているものである。搬送路区画部材２９は、用紙搬送部７の複数の搬送路区画部材のうちで、戻し側用紙搬送路２４において、搬送路区画部材２８に近接して配置されているものである。
【００１８】
複数の上流側用紙搬送路２１は、３つの用紙供給部５に応じて３つが設けられ、下流側端部が互いに合流して、中流側用紙搬送路２２の入口に接続されている。各上流側用紙搬送路２１は、対応する用紙供給部５からレジストローラ２０まで用紙を搬送する。
中流側用紙搬送路２２は、上下方向Ｚに沿って延びていて、レジストローラ２０から定着部１５の出口まで用紙を搬送する。その間に、用紙は、画像転写位置Ｐ１および画像定着位置Ｐ２へ案内され、下から上へ向かって略鉛直方向に搬送される。ここで、画像転写位置Ｐ１は、具体的には、用紙の搬送方向に沿った位置であって、感光体ドラム１１と転写ローラ１４とのニップ部の位置に相当する。また、画像定着位置Ｐ２は、具体的には、用紙の搬送方向に沿った位置であって、定着部１５の加熱ローラ１７および加圧ローラ１８のニップ部の位置に相当する。
【００１９】
図３は、図２の主要部の拡大図である。図２および図３を参照する。
中流側用紙搬送路２２には、互いに対向する一対の搬送路区画部材２７，２８が設けられている。用紙は、レジストローラ２０の回転により送り出され、回転する感光体ドラム１１および転写ローラ１４のニップ部により挟まれて送り出され、搬送路区画部材２７，２８に沿って下から上へ向かって略鉛直方向に搬送され、定着部１５に導入される。その後、定着部１５の一対のローラ１７，１８が用紙を搬送する。
【００２０】
搬送路区画部材２８は、用紙を沿わせる案内面２８ａを有している。この案内面２８ａは、用紙の裏面（感光体ドラム１１に接する側の紙面とは反対側の面）に沿うことができて、この裏面を沿わせることにより、当該用紙を案内する。案内面２８ａは、画像転写位置Ｐ１での感光体ドラム１１の接線方向にほぼ平行に、すなわち、この接線方向に平行またはこの接線方向に対して１０度以下の角度をなす方向に平行に配置されている。また、案内面２８ａは、略鉛直方向に沿って延びていて、具体的には、鉛直方向（上下方向Ｚに相当する。）に対して所定の角度で傾斜し、案内面２８ａが上向きになるように配置されている。
【００２１】
図２を参照して、下流側用紙搬送路２３は、定着部１５の出口から排出トレイ６まで用紙を搬送する。また、下流側用紙搬送路２３の途中部の分岐位置Ｐ３には、分岐レバー３０が配置されている。この分岐レバー３０により、用紙の搬送方向を、例えば、下流側用紙搬送路２３の終端部分へ向かう方向と、戻し側用紙搬送路２４へ向かう方向とに択一的に切り換えることができる。
【００２２】
戻し側用紙搬送路２４は、搬送方向について画像定着位置Ｐ２よりも下流側の位置から画像転写位置Ｐ１よりも上流側の位置へ用紙を搬送する。戻し側用紙搬送路２４は、例えば、片面に画像が転写および定着された用紙の残りの面に画像を転写および定着するときに、当該用紙を画像転写位置Ｐ１へ戻すために用紙が通過する。
戻し側用紙搬送路２４には、複数の案内部材としての搬送路区画部材２７，２９と、複数対の搬送ローラ２５とが配置されている。
【００２３】
戻し側用紙搬送路２４は、第１および第２の導入部分２４ａ，２４ｂを有している。第１の導入部分２４ａは、下流側用紙搬送路２３に、排出ローラ２６の近傍の位置であって排出トレイ６とは反対側にある位置で接続されている。第２の導入部分２４ｂは、下流側用紙搬送路２３の分岐位置Ｐ３に接続されている。搬送方向についての戻し側用紙搬送路２４の途中部２４ｃは、中流側用紙搬送路２２に略平行に、上下方向Ｚに沿って延びていて、上から下へ向かって略鉛直方向に用紙を搬送する。戻し側用紙搬送路２４の下流側端部は、上流側用紙搬送路２１の途中にある合流位置Ｐ４に接続されている。
【００２４】
用紙搬送部７は、両面画像形成機能を実現するために、表面に画像が形成された用紙に対し、排出ローラ２６で用紙後端部を機内に残して後端部以外の部分を一旦機外へ排出した後、この用紙をスイッチバックさせて再び機内へ取り込み、取り込んだ用紙を反転させてその裏面に画像形成部４により画像を形成できるようにして、取り込んだ用紙を再度画像形成部４に通すようにしている。
【００２５】
本実施形態の画像形成装置１では、用紙は、用紙供給部５から繰り出され、用紙搬送部７により略鉛直方向に沿って上方へ向けて搬送され、その間に、用紙Ｓの片面である第１面Ｓ１に画像形成部４により画像が形成される。
画像が用紙Ｓの片面のみに形成される場合には、第１面Ｓ１に画像が形成された用紙Ｓは、下流側用紙搬送路２３の終端部分に導かれて、排出トレイ６へ導かれる。
【００２６】
画像が用紙Ｓの両面に形成される場合には、第１面Ｓ１に画像が形成された用紙は、排出ローラ２６によりスイッチバックしてから戻し側用紙搬送路２４に導入される。すなわち、用紙は、定着部１５から分岐レバー３０により下流側用紙搬送路２３の終端部分に導かれる。用紙は、排出ローラ２６により用紙の搬送後端が機内に保持された状態で、一旦排出トレイ６上に排出される。次いで、分岐レバー３０が切り換わるとともに排出ローラ２６が逆転し、これにより、用紙は排出トレイ６に送られてきたときの搬送の向きとは逆向きに搬送されて、戻し側用紙搬送路２４の第１の導入部分２４ａへ導かれる。用紙は、戻し側用紙搬送路２４を搬送されて、上流側用紙搬送路２１の合流位置Ｐ４へ戻される。その後に、用紙が中流側用紙搬送路２２を上方へ向けて搬送される間に、画像が用紙の残りの面である第２面Ｓ２に画像形成部４により形成される。両面Ｓ１，Ｓ２に画像が形成された用紙が排出トレイ６に排出される。
【００２７】
ところで、両面に画像を形成する場合、第１面に画像を形成した直後の用紙は、定着部１５により熱くなっている。熱くなった用紙の第２面に画像を形成すると、感光体ドラム１１等の温度が上昇し、その結果、画像が劣化する虞がある。
本実施形態の画像形成装置１は、両面に画像が形成される用紙を冷却する送風手段としての送風ファン３１と、この送風ファン３１により生成した空気流を流すための風路３３を形成する風路形成部材３２とを有している。
【００２８】
図４は、図３のIV−IV断面を模式的に示す断面図である。図３と図４を参照する。
風路形成部材３２は、筒状をなしている。筒形状の軸線が延びる方向が、中流側用紙搬送路２２および戻し側用紙搬送路２４の途中部２４ｃが並ぶ方向（図３の左右方向Ｘに相当する。）に平行に配置されている。筒形状の軸線が延びる方向についての風路形成部材３２の両端部が、搬送路区画部材２８，２９に接続されている。風路形成部材３２の一部は、搬送路区画部材２８，２９に一体に形成されているが、風路形成部材３２の全体が、搬送路区画部材２８，２９に一体に形成されてもよいし、これらの部材２８，２９とは別体に形成されてもよい。風路形成部材３２は、中流側用紙搬送路２２および戻し側用紙搬送路２４の途中部２４ｃの間に配置されていて、搬送路区画部材２８，２９とともに、一体的なユニット３４を構成している。
【００２９】
搬送路区画部材２８の案内面２８ａは、低摩擦特性を有して用紙を摺動させやすい摺接面として機能し、これとともに、通気面として機能し、風路３３の入口としての複数の開口２８ｂを有している。各開口２８ｂは、案内面２８ａにおいて用紙が沿うことができる領域内に配置されていて、搬送対象の最小の用紙よりも小さな大きさで案内面２８ａを貫通している。
【００３０】
搬送路区画部材２９の案内面２９ａは、風路３３の出口としての複数の開口２９ｂを、搬送ローラ２５の近傍に有している。開口２９ｂは、案内面２９ａにおいて、用紙が沿う領域内に配置されていて、搬送対象の最小の用紙よりも小さくされている。
風路３３は、案内面２８ａの開口２８ｂを通じて中流側用紙搬送路２２の内部に連通し、開口２９ｂを通じて戻し側用紙搬送路２４内部に連通している。風路３３は、水平方向に沿って真直に空気を流すことができるようになっている。
【００３１】
風路３３は、用紙の幅方向Ｙ（中流側用紙搬送路２２を搬送される用紙の紙面に沿う方向であって上下方向に垂直な方向に相当する。）について、互いに独立した複数の部分３３ａに仕切り部材３２ａにより仕切られている。各部分３３ａ同士は、内部では互いに連通しないように仕切られている。各部分３３ａは、入口としての複数の開口２８ｂと、出口としての複数の開口２９ｂとをそれぞれ有している。なお、各部分３３ａは、開口２８ｂおよび開口２９ｂを少なくともひとつ有していればよい。
【００３２】
送風ファン３１は、中流部用紙搬送路２２および戻し側用紙搬送路２４の途中部２４ｃの間に配置されている。送風ファン３１は、駆動源としての電動モータ（図示せず）により駆動されて、所定の向きに回転し、これにより、所定の向きに流れる空気流Ｆを生成することができる。また、送風ファン３１は、複数個が設けられていて、風路３３の各部分３３ａにそれぞれ一つずつ配置されている。この場合、例えば小サイズの用紙が搬送されるときであっても、用紙を確実に吸引することができる。
【００３３】
送風ファン３１は、中流側用紙搬送路２２から、搬送路区画部材２８の案内面２８ａの開口２８ｂを通じて、空気を吸引する。これにより、中流側用紙搬送路２２には、開口２８ｂに流入する空気流が生じる。これにより、中流側用紙搬送路２２を通る用紙を吸引して、この用紙を中流部用紙搬送路２２の搬送路区画部材２８の案内面２８ａに近接させ、さらに沿わせることができる。
【００３４】
また、送風ファン３１は、戻し側用紙搬送路２４内に開口２９ｂから送風し、これにより、戻し側用紙搬送路２４の搬送路区画部材２７，２９および搬送ローラ２５を冷却することができ、ひいては、戻し側用紙搬送路２４を通る用紙を間接的に冷却することができる。また、送風ファン３１は、空気流を、戻し側用紙搬送路２４を通る用紙に直接に吹き付けてこの用紙を冷却することができる。
【００３５】
送風ファン３１による送風は、例えば、中流側用紙搬送路２２を用紙が通る第１のタイミングと、戻し側用紙搬送路２４を用紙が通る第２のタイミングとで行われる。第１のタイミングの送風は、中流側用紙搬送路２２を通る用紙を案内面２８ａに吸引し、安定して搬送することに寄与する。第２のタイミングの送風は、戻し側用紙搬送路２４を通る用紙を上述のように直接に効果的に冷却し、これとともに、搬送ローラ２５および搬送路区画部材２７，２９を冷却する。
【００３６】
このように本実施形態の画像形成装置１は、画像転写位置Ｐ１から画像定着位置Ｐ２へ用紙を案内する第１の用紙搬送路としての中流側用紙搬送路２２を通る用紙を吸引して、用紙を案内面２８ａに沿わせるようにしつつ、戻し側用紙搬送路２４内に送風してここを通る用紙を冷却するための送風手段としての送風ファン３１を有している。
本実施形態によれば、送風ファン３１により、両面に画像を形成するときに用紙を冷却することと、中流側用紙搬送路２２に用紙を安定して搬送することとの、２つの機能を実現できるので、画像形成装置１の構造を簡素化できる。
【００３７】
また、本実施形態では、中流側用紙搬送路２２は、下から上へ向かって略鉛直方向に用紙を搬送し、戻し側用紙搬送路２４は、上から下へ向かって略鉛直方向に用紙を搬送するようにしている。上述のように中流側用紙搬送路２２の案内面２８ａに用紙を沿わせるようにできるので、用紙の搬送が不安定になる傾向にある上下方向Ｚに用紙を搬送する本構造であっても、用紙を安定して搬送することができる。
【００３８】
また、本実施形態について、以下のような変形例を考えることができる。以下の説明では、上述の実施形態と異なる点を中心に説明し、同様の構成については同じ符号を付して説明を省略する。例えば、図５は、本発明の第２の実施形態の画像形成装置１の要部の断面図であり、図３のIV−IV断面に相当する断面を模式的に示している。図６は、本発明の第３の実施形態の画像形成装置１の要部の断面図であり、図３のIV−IV断面に相当する断面を模式的に示している。
【００３９】
図５を参照して、風路３３に単一の送風ファン３１を配置してもよい。また、図６を参照して、風路３３の入口としての開口２８ｂを、用紙の幅方向Ｙについて、中流側用紙搬送路２２の一部のみに臨んで設けてもよい。出口としての開口２９ｂも同様に、幅方向Ｙについて、戻し側用紙搬送路２４の一部のみに臨んで設けてもよい。また、第１の実施形態の風路３３の仕切り部材３２ａを廃止することも考えられる。
【００４０】
また、送風ファン３１の第２のタイミングでの送風を廃止することも考えられる。この場合であっても、用紙を間接的に冷却することができる。また、送風ファン３１を、用紙の搬送中、常時運転することも考えられる。
また、中流側用紙搬送路２２は、鉛直方向に沿って用紙を搬送してもよいし、鉛直方向に対して１０度以下の所定角度をなして傾斜する方向に沿って用紙を搬送してもよい。戻し側用紙搬送路２４も同様である。その他、特許請求の範囲に記載された事項の範囲で種々の設計変更を施すことが可能である。
【図面の簡単な説明】
【００４１】
【図１】本発明の第１実施形態の画像形成装置の概略構成の模式図である。
【図２】図１の要部の拡大図である。
【図３】図２の主要部の拡大図である。
【図４】図３のIV−IV断面を模式的に示す断面図である。
【図５】本発明の第２の実施形態の画像形成装置の要部の断面図であり、図３のIV−IV断面に相当する断面を模式的に示している。
【図６】本発明の第３の実施形態の画像形成装置の要部の断面図であり、図３のIV−IV断面に相当する断面を模式的に示している。
【符号の説明】
【００４２】
１…画像形成装置
２２…中流側用紙搬送路（第１の用紙搬送路）
２４…戻し側用紙搬送路（第２の用紙搬送路）
３１…送風ファン（送風手段）
Ｐ１…画像転写位置
Ｐ２…画像定着位置
Ｓ…用紙
Ｓ１…（用紙の）片面
Ｓ２…（用紙の）残りの面
Ｚ…上下方向（鉛直方向）
【図１】
2007206236.tif 000003
【図２】
2007206236.tif 000004
【図３】
2007206236.tif 000005
【図４】
2007206236.tif 000006
【図５】
2007206236.tif 000007
【図６】
2007206236.tif 000008